(57)【要約】    【課題】  走査型プローブ顕微鏡あるいはハンドリング機器のプローブ先端部に付着したカーボンナノチューブについて任意の長さや位置で切断する。    【解決手段】  走査型プローブ顕微鏡もしくはハンドリング機器のプローブ先端部に近接して外部電源装置の放電先鋭ロッドを配置し、放電作用によりカーボンナノチューブを切断する。【選択図】  図１
2005059147.tif 000002
【特許請求の範囲】
【請求項１】
走査型プローブ顕微鏡もしくはハンドリング機器のプローブの先端部などの基材に近接して外部電源装置の照射先鋭ロッドを配置し、放出された照射エネルギにより基材に付着したカーボンナノチューブを数μの長さに切断することを特徴とするカーボンナノチューブの切断方法。
【請求項２】
請求項１において、前記照射先鋭ロッドとカーボンナノチューブとを切断を行う部分に対し相対運動させることを特徴とするカーボンナノチューブの切断方法。
【請求項３】
基材付近に外部電源装置の照射先鋭ロッドを配置し、該照射先鋭ロッドによる放出された照射エネルギにより基材に付着したカーボンナノチューブを数μの長さに切断することを特徴とするカーボンナノチューブ切断装置。
【請求項４】
請求項３において、前記照射先鋭ロッドまたはカーボンナノチューブを相対運動させる装置を備えることを特徴とするカーボンナノチューブ切断装置。
【発明の詳細な説明】
【技術分野】
【０００１】
本発明は、カーボンナノチューブの切断方法および切断装置に関する。
【背景技術】
【０００２】
これまで、走査型プローブ顕微鏡のプローブ先端にカーボンナノチューブを付着させる際、バルク状態のカーボンナノチューブを電子顕微鏡で観察しながら付着させ、その後、引き抜くことによりカーボンナノチューブ付きプローブは製作される。このため、長さ方向伸び調節は殆ど不可能であった。
また、走査型顕微鏡プローブに付着させてプローブとして使用していたカーボンナノチューブは、先端に不純物が付着することにより、必要な先鋭度が得られなくなり廃棄されていた。
【発明の開示】
【発明が解決しようとする課題】
【０００３】
走査型プローブ顕微鏡あるいはカーボンナノチューブピンセットなどのハンドリング機器のプローブ先端部に付着させたカーボンナノチューブの長さを揃えるために、またはカーボンナノチューブの先端部に付着した不純物を除去するためにカーボンナノチューブを任意の長さや位置で切断することが求められることがある。
【０００４】
本発明は、プローブ先端部に付着させたカーボンナノチューブについて任意の長さや位置（任意の長さという）で切断する方法および装置を提供することを目的とする。
【課題を解決するための手段】
【０００５】
本発明は、走査型プローブ顕微鏡あるいはハンドリング機器のプローブ先端部などの基材に近接して外部電源装置の照射先鋭ロッドを配置し、放出されたエネルギによって基材に付着したカーボンナノチューブを数μの長さに切断するようにした。例えば、プローブ先端部に残されたカーボンナノチューブはプローブとして機能する。
【０００６】
本発明は、走査型プローブ顕微鏡あるいはハンドリング機器のプローブ先端部などの基材に近接して外部電源装置の照射先鋭ロッドを配置し、放出されたエネルギによって基材に付着したカーボンナノチューブを数μの長さに切断するようにした。例えば、プローブ先端部に残されたカーボンナノチューブはプローブとして機能する。
【発明の効果】
【０００７】
カーボンナノチューブを任意の場所で切断できるため、必要な長さに揃えることや、常に新しい先端状態で測定やピンセットとして部材を操作できる。また、カーボンナノチューブの機械、電気電子特性を個別に測定する際、長さ方向を自由に制御できることは大きな意味を持つ。
【発明を実施するための最良の形態】
【０００８】
走査型プローブ顕微鏡もしくはハンドリング機器のプローブの先端部に近接して外部電源装置の照射先鋭ロッドを配置し、放出された照射エネルギにより基材に付着したカーボンナノチューブを数μの長さに切断するカーボンナノチューブ切断方法および切断装置が最良の形態として構成される。
【実施例１】
【０００９】
以下、本発明の実施例を図面に基づいて説明する。
図１は、本発明を走査型プローブ顕微鏡のプローブ先端部に適用した実施例であるカーボンナノチューブ切断装置の概要を示す。
図１において、走査型プローブ顕微鏡（図示せず）のプローブ先端部１には、カーボンナノチューブ２が付着させられている。
【００１０】
外部電源装置３は、一対の放電先鋭ロッド４（４Ａ、４Ｂ）を備えており、放電先鋭ロッド４はプローブ先端部１の近傍において、カーボンナノチューブ２にその先端が向くようにして近接配置されている。すなわち、照射先鋭ロッド、例えば放電先鋭ロッド４の先端はカーボンナノチューブ２の切断しようとする部分に向けられる。外部電源装置には電磁場印加装置が含まれる。
【００１１】
一対の放電先鋭ロッド４（４Ａ、４Ｂ）間に電位差を与え、放電を起こし、放電先鋭ロッド４とカーボンナノチューブ２の切断すべき部分とを相対運転させる。この相対運動は、プローブもしくは放電先鋭ロッド４の移動操作により行う。照射の概念には、電位差による放電、レーザー、イオンビームあるいは電子ビームなどのビームを含んで使用する。要は、炭素結合解離エネルギを照射によって付与し、炭素間の結合を電気力によって切り離す。
【００１２】
カーボンナノチューブ２は、例えば放電による作用によって、切断しようとする部分において容易に切断することができる。すなわち、カーボンナノチューブ２について任意の長さあるいは位置で切断することができる。カーボンナノチューブの長さを切り揃えることができる。残されたカーボンナノチューブの長さは数μ（数μ〜数１０μを含む。）の長さとされる。電極の材質、印加電位差の周期にもよるが、例えば、カーボンナノチューブ１に対する距離を１０μｍ位にして数十Ｖくらいの放電で切断可能である。
カーボンナノチューブピンセットなどのハンドリング機器のプローブに付着させたカーボンナノチューブについても同様にして切断することができる。
【００１３】
以上の実施例によれば、走査型プローブ顕微鏡もしくはハンドリング機器のプローブの先端部などの基材に近接して外部電源装置の照射先鋭ロッドを配置し、放出された照射エネルギによりカーボンナノチューブを切断するカーボンナノチューブの切断方法および切断装置が構成される。
更に、前記照射先鋭ロッドとカーボンナノチューブとを切断を行う部分に対し相対運動させるようにしたカーボンナノチューブの切断方法および切断装置が構成される。
【００１４】
図２は、走査型プローブ顕微鏡のプローブ２の先端部にカーボンナノチューブ１が付着した状況を示す写真である。図３はカーボンナノチューブに放電による作用によりカーボンナノチューブを切断した状況を示す写真である。図３に示すように、放電によって任意の位置でカーボンナノチューブを切断できることが確認された。
【図面の簡単な説明】
【００１５】
【図１】本発明の実施例のカーボンナノチューブ切断装置の概略構成を示す図。
【図２】走査型プローブ顕微鏡のプローブ先端部（ａ）にカーボンナノチューブ（ｂ）が付着した状況を示す写真。
【図３】カーボンナノチューブを任意の位置で切断したことを確認する図。
【符号の説明】
【００１６】
１…プローブの先端部、２…カーボンナノチューブ、３…外部電源装置、４（４Ａ、４Ｂ）…一対の放電先鋭ロッド。
【図１】
2005059147.tif 000003
【図２】
2005059147.tif 000004
【図３】
2005059147.tif 000005